(57)【要約】【課題】装置構成の小型化、処理負担の低減及び外部で行う制御処理負担の低減を図るとともに、放送素材データ中の任意の時間位置の音声を効率良く消去することが可能な放送素材信号再生装置を提供する。【解決手段】放送素材データ中の任意の時間位置で音声信号を消去するための音声消去情報を放送素材データに付随する既存のメタデータに含めて記憶装置１１に記録しておき、再生制御部１２にて放送素材データを記憶装置１１から読み出して再生部１３に供給する際に、記憶装置１１から当該放送素材データに対応するメタデータを取り込み解析し、このメタデータ中の音声消去情報に基づいて、音声信号を消去する時間位置を求めて、この時間位置で再生部１３の音声デコーダ１３３の復号処理を停止するようにする。【選択図】    図１
2005064573.tif 000002
【特許請求の範囲】
【請求項１】
記録媒体中の少なくとも音声信号を含む放送素材信号を圧縮符号化した放送素材データを特定する素材管理情報に基づいて、当該記録媒体から放送素材データを読み出して再生処理する放送素材信号再生装置であって、
前記放送素材データ中の任意の時間位置で音声信号を消去するための音声消去情報を前記素材管理情報として前記記録媒体に格納する情報格納手段と、
前記記録媒体から読み出される放送素材データから前記音声信号に再生する音声信号再生手段と、
再生指示入力に応じて、前記記録媒体中の素材管理情報に基づいて該記録媒体から放送素材データを読み出して前記音声信号再生手段に入力するとともに、前記素材管理情報中の音声消去情報を取り込み解析し、この解析結果に基づいて前記音声信号再生手段に対し該放送素材データ中の任意の時間位置で音声信号を除去させる再生制御手段とを具備したことを特徴とする放送素材信号再生装置。
【請求項２】
前記放送素材データが映像データと音声データとの組み合わせから成るときに、前記音声信号再生手段は、前記放送素材データから映像データと音声データとを分離する分離手段と、この分離手段で分離された音声データを元の音声信号に復号する復号手段とを備え、
前記再生制御手段は、前記音声消去情報の解析結果に基づいて前記復号手段の復号処理の実行・停止を制御することを特徴とする請求項１記載の放送素材信号再生装置。
【請求項３】
前記記録媒体中に互いに異なる複数の放送素材データが記録されているとき、前記情報格納手段は、前記音声消去情報を前記放送素材データ毎の素材管理情報中に含めて格納し、
前記再生制御手段は、再生指示入力に応じて、前記記録媒体から複数の放送素材データの中の任意の放送素材データを読み出して前記音声再生手段に入力するとともに、前記放送素材データに対応する素材管理情報を取り込み解析し、この解析結果に基づいて該放送素材データから音声信号を除去することを特徴とする請求項１記載の放送素材信号再生装置。
【請求項４】
前記音声消去情報が前記音声信号を消去する複数の時間位置を規定しているとき、前記再生制御手段は、前記音声消去情報の取り込み解析結果に基づいて、該放送素材データ中の複数の時間位置の音声信号を除去することを特徴とする請求項１記載の放送素材信号再生装置。
【発明の詳細な説明】
【０００１】
【発明の属する技術分野】
この発明は、例えば放送局内において、ハードディスク装置等の記憶装置に記憶され、それぞれ圧縮符号化された複数の放送素材データの中から任意の放送素材データを再生する放送素材信号再生装置に関する。
【０００２】
【従来の技術】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生する番組／ＣＭ／映像・音声ファイル蓄積装置（以下、素材蓄積装置と称する）が使用されている（例えば特許文献１）。
【０００３】
ところで、上記放送局内では、運用者による上記素材蓄積装置に記憶された放送素材データの確認作業とともに、該放送素材データ中の任意の時間位置で音声を消去する編集作業も要求される。しかしながら、上記素材蓄積装置に記憶される放送素材データは、圧縮符号化を施してトランスポート・ストリーム（以下、ＴＳと称する）に形成されており、特にＭＰＥＧ（Ｍｏｖｉｎｇ  Ｐｉｃｔｕｒｅ  Ｅｘｐｅｒｔｓ  Ｇｒｏｕｐ）等の映像圧縮方式ではフレーム間で相関をとっているため、ＴＳ上の時間位置が分かり難い。
そこで、従来では、映像信号及び音声信号をＴＳパケット化して上記素材蓄積装置に記憶する際に、任意の時間位置で消去すべく音声信号をＴＳパケット化して記憶しておくようにしている。
【０００４】
【特許文献１】
特願２０００−０７５８４４号。
【０００５】
【発明が解決しようとする課題】
しかしながら上記方法では、放送素材データの記憶後、新たに音声信号を消去する必要が生じた場合に、素材蓄積装置に記憶された放送素材データをいったん元の映像信号、音声信号に復号し、再度ＴＳパケットに変換して素材蓄積装置に蓄積するといった面倒な作業が必要であった。また、一度消した音声を復元することは不可能であった。
【０００６】
一方、別の方法として、外部の音声伝送機器を用いて、素材蓄積装置から再生される放送素材データから音声を消去する方法もある。しかし、この方法では、音声伝送機器に対し専用の外部送出制御装置を接続している。この外部送出制御装置では、素材単位に設定された音声消去の位置情報及び素材送出時間情報をもとに、音声を消去する時刻を計算し、音声伝送機器に対して適宜、音声消去制御を行う必要がある。このため、外部送出制御装置の処理負担が大きかった。また、送出時間情報の変更への対応、素材と音声消去情報との関連付けなど、外部で行わなければならない処理が多く、処理の複雑化を招いていた。
【０００７】
そこで、この発明の目的は、装置構成の小型化、処理負担の低減及び外部で行う制御処理負担の低減を図るとともに、放送素材データ中の任意の時間位置の音声を効率良く消去することが可能な放送素材信号再生装置を提供することにある。
【０００８】
【課題を解決するための手段】
この発明は、上記目的を達成するために、以下のように構成される。
（１）記録媒体中の少なくとも音声信号を含む放送素材信号を圧縮符号化した放送素材データを特定する素材管理情報に基づいて、当該記録媒体から放送素材データを読み出して再生処理する放送素材信号再生装置であって、放送素材データ中の任意の時間位置で音声信号を消去するための音声消去情報を素材管理情報として記録媒体に格納する情報格納手段と、記録媒体から読み出される放送素材データから音声信号に再生する音声信号再生手段と、再生指示入力に応じて、記録媒体中の素材管理情報に基づいて該記録媒体から放送素材データを読み出して音声信号再生手段に入力するとともに、前記素材管理情報中の音声消去情報を取り込み解析し、この解析結果に基づいて前記音声信号再生手段に対し該放送素材データ中の任意の時間位置で音声信号を除去させる再生制御手段とを備えるようにしたものである。
【０００９】
（１）の構成によれば、放送素材データ中の任意の時間位置で音声信号を消去するための音声消去情報を放送素材データに付随する既存の素材管理情報に含めるようにして記録媒体に記録しておくことで、放送素材データを記録媒体から読み出して音声信号を再生する際に、素材管理情報中の音声消去情報に基づいて、音声信号を消去する時間位置を特定することができ、この時間位置で音声信号再生処理を停止するようにしている。したがって、外部制御機器からの音声消去制御を不要とし、また外部で行う処理は音声消去情報を素材管理情報に含める処理のみとなり、音声消去処理は既存の音声信号再生装置側で実行すればよいため、外部で行う制御処理量が大幅に軽減され、この処理低減により安価なＣＰＵを内蔵した１台の装置でも音声消去処理が可能となる。また、放送素材データの記憶後、音声消去位置を追加したり、変更したりする場合にも、素材管理情報中の音声消去情報を更新するのみで任意に対応可能である。
【００１０】
（２）放送素材データが映像データと音声データとの組み合わせから成るときに、音声信号再生手段は、前記放送素材データから映像データと音声データとを分離する分離手段と、この分離手段で分離された音声データを元の音声信号に復号する復号手段とを備え、再生制御手段は、音声消去情報の解析結果に基づいて復号手段の復号処理の実行・停止を制御することを特徴とする。
（２）の構成によれば、記録媒体から放送素材データを読み出して再生する際に、音声消去情報に基づいて音声信号用復号器の復号処理の実行・停止を制御するだけの簡単な処理により音声消去を実現できる。
【００１１】
（３）記録媒体中に互いに異なる複数の放送素材データが記録されているとき、情報格納手段は、音声消去情報を放送素材データ毎の素材管理情報中に含めて格納し、再生制御手段は、再生指示入力に応じて、記録媒体から複数の放送素材データの中の任意の放送素材データを読み出して音声再生手段に入力するとともに、放送素材データに対応する素材管理情報を取り込み解析し、この解析結果に基づいて該放送素材データから音声信号を除去することを特徴とする。
（３）の構成によれば、音声消去情報と放送素材データとを対応付けて記録媒体中に記録しておくことにより、再生される放送素材データ単位で音声消去制御を行うことができる。
【００１２】
【発明の実施の形態】
以下、この発明の一実施形態について図面を参照して詳細に説明する。
図１は、この発明の一実施形態に係る放送素材信号再生装置の構成を示すブロック図である。
【００１３】
図１において、図中符号１１はハードウェア装置等の記憶装置で、互いに映像・音声から成り、テレビジョン放送番組やＣＭのほか、天気予報、交通情報、ニュース等のデータ放送番組を構成する複数の放送素材データが記憶され、かつ当該放送素材データに付随する素材管理情報としてのメタデータが記憶されている。これら放送素材データは、再生制御部１２による制御の下、再生部１３のＴＳ分離部１３１に供給され、ここで映像データ及び音声データに分離される。
このうち、映像データは、映像デコーダ１３２に供給されて、元の映像信号に復号される。一方、音声データは、音声デコーダ１３３に供給されて、元の音声信号に復号される。
【００１４】
再生制御部１２は、外部からの再生指示情報に従って記憶装置１１から読み出すべく放送素材データに対応するメタデータを取り込んで、該放送素材データの内容算出を行って読み出しデータ量を求め、その読み出しデータ量だけ記憶装置１１中の放送素材データを読み出して再生部１３に供給する。
【００１５】
ところで、この実施形態では、各放送素材データ毎のメタデータ中に、任意の時間位置で音声を消去するための音声消去情報が含まれている。そして、再生制御部１２は、メタデータ中に音声消去情報が含まれているとき、この音声消去情報に従って音声デコーダ１３３に対しオン・オフ制御を行う。
【００１６】
次に、上記構成による処理動作について説明する。
まず、記憶装置１１には、放送すべく複数の放送素材データが記憶されるとともに、これら放送素材データに付随するメタデータが記憶される。これら放送素材データは、例えばＭＰＥＧのＴＳパケットで形成されている。また、メタデータは、圧縮符号化されていないデジタルデータで形成されている。
【００１７】
ここで、記憶装置１１に記憶されている放送素材データについて、任意の時間位置で音声を消去する必要が生じた場合、各放送素材データはＴＳパケットに生成されているため、時間位置が分かり難く、放送素材データの再ＴＳパケット化や外部制御装置による複雑な制御処理が余儀なくされることになる。
【００１８】
そこで、本実施形態では、圧縮符号化されていないメタデータ中に任意の時間位置で音声消去を行うための音声消去情報を含めて記憶装置１１に登録しておくようにし、再生制御部１２にて音声消去を行うべく時間位置を算出して、音声デコーダ１３３のオン・オフ制御を実行する。この場合の音声消去位置の算出処理の様子を図２に示す。また、音声消去情報については、パーソナル・コンピュータによるユーザ入力指定操作に応じて、記憶装置１１中に登録するようにしてもよく、また放送素材作成装置側でメタデータに含めるようにしてもよい。
【００１９】
そして、再生制御部１２は、図３に示す制御処理手順を実行する。
まず、再生制御部１２は、再生指示情報が入力されるか否かを監視しており（ステップＳＴ３ａ）、再生指示情報が入力されると（Ｙｅｓ）、記憶装置１１から読み出すべく放送素材データに対応するメタデータを取り込んで素材内容の算出を行うとともに（ステップＳＴ３ｂ）、メタデータ中に音声消去情報が含まれているか否かの判断を行う（ステップＳＴ３ｃ）。
【００２０】
ここで、音声消去情報が含まれている場合に（Ｙｅｓ）、再生制御部１２は読み出すべく放送素材データの先頭からの音声消去位置（オフセット）及び消去時間を算出して（ステップＳＴ３ｄ）、記憶装置１１から放送素材データを読み出して再生部１３に供給し（ステップＳＴ３ｅ）、求めた音声消去位置から消去時間だけ音声デコーダ１３３にオフ状態にする（ステップＳＴ３ｆ）。そして、消去時間が経過すると、再生制御部１２は音声デコーダ１３３をオン状態に戻すとともに、音声消去位置が他にも存在するか否かの判断を行い（ステップＳＴ３ｇ）、音声消去位置が存在する数だけ上記ステップＳＴ３ｆ及びステップＳＴ３ｇの処理を繰り返し実行する。
【００２１】
以後、全ての音声消去位置についての処理が完了すると、再生制御部１２は上記制御処理を終了する。また、上記ステップＳＴ３ｃにおいて、メタデータ中に音声消去情報が含まれていない場合には（Ｎｏ）、再生制御部１２は通常の放送素材データの読み出し処理を実行する。
【００２２】
以上のように上記実施形態では、放送素材データ中の任意の時間位置で音声信号を消去するための音声消去情報を放送素材データに付随する既存のメタデータに含めて記憶装置１１に記録しておくことで、再生制御部１２にて放送素材データを記憶装置１１から読み出して再生部１３に供給する際に、記憶装置１１から当該放送素材データに対応するメタデータを取り込み解析し、このメタデータ中の音声消去情報に基づいて、音声信号を消去する時間位置を求めて、この時間位置で再生部１３の音声デコーダ１３３の復号処理を停止するようにしている。
【００２３】
したがって、外部制御機器からの音声消去制御を不要とし、また外部で行う処理は音声消去情報をメタデータに含めて記憶装置１１に記録する処理のみとなり、音声消去処理は音声デコーダ１３３側で実行すればよいため、外部で行う制御処理量が大幅に軽減され、この処理低減により安価な装置により音声消去処理を実行することができる。また、記憶装置１１への放送素材データの記憶後、音声消去位置を追加したり、変更したりする場合にも、メタデータ中の音声消去情報を更新するのみで任意に対応することができる。
【００２４】
また、上記実施形態では、記憶装置１１中に互いに異なる複数の放送素材データが記憶されている場合に、音声消去情報を放送素材データに対応付けて記憶装置１１に記録しておくことにより、再生される放送素材データ単位で音声消去制御を行うことができる。
【００２５】
なお、上記実施形態では、映像・音声を組み合わせた放送素材データを取り扱う例について説明したが、ラジオ放送番組等の音声のみの放送素材データを取り扱うようにしてもよい。この場合、再生部１３に音声デコーダ１３３のみ備えるだけで十分である。また、データ・音声を組み合わせた放送素材データについても適用可能である。
【００２６】
さらに、上記実施形態では、記憶装置１１と再生制御部１２とを別々に設ける例について説明したが、記憶装置と再生制御部とが１つの筐体に内蔵されるものであってもよい。
その他、放送素材信号再生装置の構成、放送素材データの種類及び内容、音声消去制御手順等についても、この発明の要旨を逸脱しない範囲で種々変形して実施できる。
【００２７】
【発明の効果】
以上詳述したようにこの発明によれば、装置構成の小型化、処理負担の低減及び外部で行う制御処理負担の低減を図るとともに、放送素材データ中の任意の時間位置の音声を効率良く消去することが可能な放送素材信号再生装置を提供することができる。
【図面の簡単な説明】
【図１】この発明の一実施形態に係る放送素材信号再生装置の構成を示すブロック図。
【図２】同実施形態における放送素材データとメタデータとの関係を説明するための図。
【図３】同実施形態における再生制御部の処理動作を説明するために示すフローチャート。
【符号の説明】
１１…記憶装置、１２…再生制御部、１３…再生部、１３１…ＴＳ分離部、１３２…映像デコーダ、１３３…音声デコーダ。
【図１】
2005064573.tif 000003
【図２】
2005064573.tif 000004
【図３】
2005064573.tif 000005